(57)【要約】【課題】  かご台車の発送日、荷物の種類、搬送先などによりそれぞれ使用目的を一見して判別することを可能にする。【解決手段】  台車１２の周囲に側枠１３を立設させて荷物３を収容するかご部１５を形成したかご台車１のカバー４であって、かご部１５の頂面に形成される開口部１４を覆う方形のシート体４１により形成されているとともに四つの隅部４２，４３，４４，４５に互いに隣り合う隅部同士が取り外し可能に係止可能な係止部材２がそれぞれ付設されており、且つシート体４１の少なくとも一面に使用するかご台車１の用途を示す識別表示４６，４７を設けた。【選択図】図４
0003123809.tif 000002
【実用新案登録請求の範囲】
【請求項１】
台車の周囲に側枠を立設させて荷物を収容するかご部を形成したかご台車のカバーであって、前記かご部の頂面に形成される開口部を覆う方形のシート体により形成されているとともに四つの隅部に互いに隣り合う隅部同士が取り外し可能に係止可能な係止部材がそれぞれ付設されており、且つ前記シート体の少なくとも一面に使用するかご台車の用途を示す識別表示がなされていることを特徴とするかご台車のカバー。
【請求項２】
前記識別表示の１つとして色彩を用いた請求項１記載のかご台車のカバー。
【請求項３】
前記シート体の一面に少なくとも一部が透明であるポケットを有している請求項１または２記載のかご台車のカバー。
【請求項４】
前記シート体の中央に開閉可能な荷物の通過口を有している請求項１または２記載のかご台車のカバー。係止部材が弾性帯の先端にフックを形成してなる請求項１，２または３記載のかご台車のカバー。
【請求項５】
前記係止部材が弾性体の先端にフックを形成してなる請求項１，２，３または４記載のかご台車のカバー。
【請求項６】
前記シート体が防水性または防塵性の少なくとも一方を有している請求項１，２，３，４または５記載のかご台車のカバー。
【考案の詳細な説明】
【技術分野】
【０００１】
本考案は、かご台車のカバーに関するものである。
【背景技術】
【０００２】
従来、図５（ａ）および図５（ｂ）に示すように、基台の底面側に車輪１１・・１１を設けた台車１２の上方に頂面側の周囲に網板や柵等からなる側枠１３・・１３を立設させて頂面１４を開放した荷物３を収容するかご部１５を形成したかご台車１が知られている。
【０００３】
このようなかご台車は、比較的小型の荷物を収容したままの状態で搬送車に搭載して搬送するものであり、各荷物を比較的簡易な包装ですませることができるとともに、一度に多数個の荷物を台車ごと移動させることができるという利点を有している。
【０００４】
また、この種のかご台車は多数の荷物を一度に搬送できるということから、通常は発送日、荷物の種類、搬送先などによりそれぞれ使用目的に応じて区別して使用されている。
【０００５】
従来は、側枠１３の一部に掛止させたホワイトボードやカードポケット等の表示部１６に荷物の種別、発送予定日、発送先などの搬送情報を表示していた。そのため、使用者は、前記表示部１５の表示を確認して荷物を収容、整理していた。
【考案の開示】
【考案が解決しようとする課題】
【０００６】
ところが、一般、使用されるかご台車１は多数のものが流通することから形状や大きさが似ており、一見して使用目的を区別することはきわめて困難であり、前述の表示部１６の表記事項を一々確認して荷物を収容している。
【０００７】
従って、多数のかご台車が配置されている集積場では荷物を収容する際や荷物が収容された目的のかご台車を探索するのがきわめて困難であり、多大な労力と無駄な時間とを必要としていた。
【０００８】
本考案は斯かる実情に鑑みてなされたものであり、かご台車の発送日、荷物の種類、搬送先などによりそれぞれ使用目的を一見して判別することを可能にすることを課題としてなされたものである。
【課題を解決するための手段】
【０００９】
前記課題を解決するためになされた本考案は、台車の周囲に側枠を立設させて荷物を収容するかご部を形成したかご台車のカバーであって、前記かご部の頂面に形成される開口部を覆う方形のシート体により形成されているとともに四つの隅部に互いに隣り合う隅部同士が取り外し可能に係止可能な係止部材がそれぞれ付設されており、且つ前記シート体の少なくとも一面に使用するかご台車の用途を示す識別表示がなされていることを特徴とする。
【００１０】
かご部の頂面に形成される開口部を覆う方形のシート体に使用するかご台車の用途を示す識別表示がなされていることによりそのかご台車の使用目的を一見して判別することができる。また、四隅に互いに隣り合う隅部同士が取り外し可能に係止可能な係止部材がそれぞれ付設されているので取り付け、取り外しが容易である。
【００１１】
また、識別表示の１つとして色彩を用いた場合には判読が簡単であり、前記シート体の一面に少なくとも一部が透明であるポケットを有している場合には従来の書面による管理をそのまま継続することもでき、前記シート体の中央に開閉可能な荷物の通過口を有している場合にはシートを被せたままで荷物の出し入れができ、係止部材が弾性体の先端にフックを形成してなる場合にはカバーの取り付け取り外しがきわめて簡単にできる。更にシート体が防水性や防塵性を有している場合には収容した荷物の汚染を防止することもできる。
【考案の効果】
【００１２】
本考案により、今まで使用目的の確認に要していた多大な労力と無駄な時間が軽減される。また、本考案は構成も簡単で部分的に多量生産も可能で廉価に提供することができ、更に、繰り返して使用することができるので経済的でもあり、雨や埃などの影響も排除できる。
【考案を実施するための最良の形態】
【００１３】
次に本考案を図面に示す好ましい実施の形態に基づいて詳細に説明する。
【００１４】
図１は本考案を前記図（ａ）に示した網板からなる側枠１３・・１３を立設させて頂面１４を開放した荷物３を収容するかご部１５を形成したかご台車１に使用するための実施の形態の好ましい一例を示すものであり、カバー４は、主として使用するかご台車１の台車１２の周囲に側枠１３・・１３を立設させて形成した荷物３を収容するかご部１５の頂面に形成される開口部１４を覆う方形のシート体４１により形成されている。
【００１５】
このシート体４１は少なくとも前記かご部１５の頂面に形成される開口部１４を覆う琴が可能な大きさを有し、例えば、塩化ビニールなどのような軟質の防水性。防塵性を有する適宜厚さのシート材により形成され、例えば、緑色、青色、橙色など複数種類のものを用意しておく。
【００１６】
また、シート体４１の四つの隅部４２，４３，４４，４５には互いに隣り合う隅部同士（例えば隅部４２，４３または４４，４５）が取り外し可能に係止可能な係止部材２がそれぞれ付設されている。
【００１７】
図２は係止部材２の一例を示すものであり、シート体４１の各隅部４２（４３，４４，４５）に形成された鳩目２１に例えばゴムやばねなどの例えば棒状の伸縮材により形成された弾性体２２の先端に互いに取り外し可能に係止可能な鉤部２３が付設された構成を有している。
【００１８】
更に、前記シート体４は表面に地色と異なる色彩による帯状の識別表示４６が例えば印刷やシールなどの適宜の手段により付設されているとともに、他の部分に例えば「家具」などの収容する荷物３の種別を示す識別表示７が付設されている。
【００１９】
尚、前記識別表示４６，４７は一例であって、これに限るものではなく、使用目的に応じて適宜変更することができることは言うまでもない、
【００２０】
また、図面中、符号４８はシート体４の表面の一部に付設した一部を透明としたポケットであり、従来のものと同様に伝票や荷物３、搬送地名など各種の必要書類を収容しておく。
【００２１】
次に、本実施形態の使用方法について説明する。初めに図３に示すように、カバー４を使用する例えば「家具」だけを収容するかご台車１におけるかご部１５の頂面に形成される開口部１４に四つの隅部４２，４３，４４，４５がかご部１５の各角部に合致するように且つ前記開口部１４がシート体４１のほぼ中央に位置するようにして被せる。
【００２２】
そして、図４に示すようにしてかご部１５の各角部に垂れ下がっている隅部４２，４３，４４，４５の内で互いに隣接するもの（４２，４３または４４，４５）が互いに接近するように折り込み、互いに対向する各隅部（４２，４３または４４，４５）の先端に付設した係止部材２，２の鉤部２３，２３を互いに係止することによりカバー４をかご車４に被着させる。
【００２３】
尚、本実施形態では係止部材２に伸縮部材２２を用いているため係止したときに互いに対向する各隅部（４２，４３または４４，４５）が、互いに引き合ってシート体４１をかご部１５に密着させるので被着が確実で外れることがなく、また、被着後に荷物の出し入れをする場合にも係止状態を簡単に解除するなど優れた点を有しているが、係止部材２は取り外し可能に係止できればよく、例えば結束紐や面ファスナなど他の構成を有するものを用いても良い（図示せず）。
【００２４】
このようにしてシート体４を被せることにより、例えば集積所のように多数の似たようなかご車が配置されていたとしてもシート体４の識別表示４６，４７を観ることにより荷物３の取扱者および搬送者は一目で目的のかご車を探索することができるので時間と労力の軽減を図ることができる。
【００２５】
また、本実施の形態は、シート体４１の地色だけでなく例えば帯状の色違い模様による識別表示４６、更には言語による識別表示４７などのように複数種類の識別因子を設けたので多数の目的別にかご車１を分別して使用することができるが、使用するかご車１の例えば、収容する荷物の種別、出荷日、搬送経路や搬送箇所など区分けする用途の数に応じて識別の種類を用意すればよい。
【００２６】
更に、本実施形態ではシート体４１の一面に識別表示４６，４７などを設けたが両面に設けることもでき、特に両面に互いに異なる仕様目的に応じた識別表示を付すことにより余分な使用枚数を制限することもでき、更にまた、シート体４１の例えば中央付近にシート体の一部を開口し、更にはシート状の蓋体を設けた開閉型の荷物の通過口を設けておくことによりカバー４をかご車１に被着した状態で荷物の出し入れをすることも可能である（図示せず）。
【００２７】
加えて、シート体４１の素材を例えば透明なものにすればカバーをしたままでもかご部１５の内部の様子が確認することができ、素材として断熱効果を有するものとすれば、冷蔵品や温蔵品の収納も可能である。
【００２８】
尚、本実施例ではカバー体４１を主としてかご部１５の頂部の部分を覆う形態のものを示したが、本考案は、少なくともかご体１５の開口部１４を覆うことが必要であり、また、逆にかご体１５の全体を覆う長さを有するものであっても良い。
【図面の簡単な説明】
【００２９】
【図１】本考案の実施の形態を使用するかご車とともに示す説明図である。
【図２】図１に示した実施形態に用いられる係止部材を示す斜視図である。
【図３】図１に示した実施形態の使用状態を示す説明図である。
【図４】図１に示した実施形態の使用状態の異なる状態を示す説明図である。
【図５】かご車を示す説明図である。
【符号の説明】
【００３０】
１  かご車、２  係止部材、３  荷物、４  カバー、１３  側枠、１４  開口部、１５  かご部、２２  弾性体、  ２３  フック、４１  シート体、４２，４３，４４，４５  隅部、４６，４７  識別表示、４８  ポケット
【図１】
0003123809.tif 000003
【図２】
0003123809.tif 000004
【図３】
0003123809.tif 000005
【図４】
0003123809.tif 000006
【図５】
0003123809.tif 000007